(57)【要約】【課題】ＬＥＤモジュールを外した際や断線した際には保護動作するとともに、ＬＥＤモジュールを接続した際には点灯するＬＥＤ点灯装置を提供する。【解決手段】入力整流平滑回路３０と、この入力整流平滑回路３０の直流電圧を所定の直流電圧に変換するＤＣ−ＤＣコンバータ回路４０と、このＤＣ−ＤＣコンバータ回路４０に接続される負荷が無負荷であることを検出する無負荷検出回路４１とを備え、ＤＣ−ＤＣコンバータ回路４０は、入力整流平滑回路３０から出力される直流電圧を断続するスイッチング素子Ｑ２と、パルスを一定周期毎に出力してスイッチング素子Ｑ２を一定周期でオン・オフさせる制御装置ＩＣ２と、スイッチング素子Ｑ２による直流電圧の断続によって所定の直流電圧に変換して出力する出力整流平滑回路５０とを有し、無負荷検出回路４１が無負荷を検出しているとき制御装置ＩＣ２を間欠動作させることを特徴とする。【選択図】図２
2014087119.tif 000002
【特許請求の範囲】
【請求項１】
交流電圧を整流して平滑する入力整流平滑回路と、この入力整流平滑回路から出力される直流電圧を所定の直流電圧に変換して出力するＤＣ−ＤＣコンバータと、このＤＣ−ＤＣコンバータの出力端子に接続される負荷が無負荷であることを検出する無負荷検出回路とを備え、
前記ＤＣ−ＤＣコンバータは、入力整流平滑回路から出力される直流電圧を断続するスイッチング素子と、パルスを一定周期毎に出力してスイッチング素子を一定周期でオン・オフさせる制御装置と、前記スイッチング素子による直流電圧の断続によって所定の直流電圧に変換して出力する出力回路とを有するＬＥＤ点灯装置であって、
前記無負荷検出回路が無負荷を検出しているとき前記制御装置を間欠動作させることを特徴とするＬＥＤ点灯装置。
【請求項２】
前記出力回路は、前記入力整流平滑回路とスイッチング素子との間に接続された一次巻線を有するトランスと、このトランスの二次巻線から出力される交流電圧を直流電圧にして出力する出力整流平滑回路とを備え、
前記無負荷検出回路は、前記トランスの三次巻線と、この三次巻線に発生する電圧が予め設定されている設定電圧以上になったことを検出する検出器とを有し、この検出器が検出すると前記制御装置は間欠動作することを特徴とする請求項１に記載のＬＥＤ点灯装置。
【請求項３】
前記ＤＣ−ＤＣコンバータから出力される出力電流値と予め設定されている設定値との差を求めて出力電流を一定にするための定電流制御回路を有し、
前記制御装置は、定電流制御回路が求めた差に応じて前記パルスのパルス幅を調整して出力電流を一定にすることを特徴とする請求項１または請求項２に記載のＬＥＤ点灯装置。
【請求項４】
前記出力端子間の短絡を検出する短絡検出回路を備え、この短絡検出回路が短絡を検出したとき、前記制御装置を間欠動作させることを特徴とする請求項１ないし請求項３のいずれか１つに記載のＬＥＤ点灯装置。
【請求項５】
前記短絡検出回路は、前記スイッチング素子に直列接続された抵抗と、この抵抗に並列接続されたコンデンサとを有し、
前記制御装置は、前記抵抗に生じる電圧が設定電圧以上になったとき、間欠動作することを特徴とする請求項４に記載のＬＥＤ点灯装置。
【発明の詳細な説明】
【技術分野】
【０００１】
この発明は、ＬＥＤモジュールを点灯するＬＥＤ点灯装置に関する。
【背景技術】
【０００２】
従来から、商用交流電源の交流電圧を直流電圧に変換してＬＥＤモジュールを点灯させるＬＥＤ点灯装置が知られている（特許文献１参照）。
【０００３】
かかるＬＥＤ点灯装置は、図４に示すように、交流電圧を整流するとともに平滑して出力する入力整流平滑回路２と、入力整流平滑回路２から出力される直流電圧を断続するインバータ回路３と、このインバータ回路３で断続された電圧を交流電圧に変換するトランスと、このトランスによって変換された交流電圧を整流するとともに平滑して出力する出力平滑回路５とを備え、インバータ回路３は、直流電圧を断続するスイッチング素子Ｑ１と、このスイッチング素子Ｑ１のオン・オフを制御するＩＣ制御回路４とを有している。
【０００４】
このＬＥＤ点灯装置は、フィードバック回路６によりＬＥＤモジュールに一定の電流を流すようにＩＣ制御回路４がスイッチング素子Ｑ１を制御するものである。
【先行技術文献】
【特許文献】
【０００５】
【特許文献１】特開２０１１−１０９８５４号公報
【発明の概要】
【発明が解決しようとする課題】
【０００６】
ところで、このようなＬＥＤ点灯装置にあっては、ＬＥＤモジュールが外された際や断線した際に、図５に示すようにＩＣ制御回路４を保護動作であるシャットダウンさせて、出力平滑回路５の直流電流や直流電圧の出力を停止するようにしたものが提案されている。
【０００７】
しなしながら、ＩＣ制御回路４を一旦シャットダウンさせてしまうと、再度、ＬＥＤモジュールをＬＥＤ点灯装置に接続しただけでは起動しない。起動させるためには、ＡＣ電源スイッチを一旦オフさせた後にオンしなければならず、このため、寿命などによってＬＥＤモジュールを交換した場合、新たなＬＥＤモジュールはＬＥＤ点灯装置に接続した際に点灯しないことになり、違和感や不安をユーザに与えることになる。
【０００８】
この発明の目的は、ＬＥＤモジュールを外した際や断線した際には保護動作するとともに、ＬＥＤモジュールを接続した際にはＡＣ電源スイッチを操作しなくても点灯するＬＥＤ点灯装置を提供することにある。
【課題を解決するための手段】
【０００９】
請求項１の発明は、交流電圧を整流して平滑する入力整流平滑回路と、この入力整流平滑回路から出力される直流電圧を所定の直流電圧に変換して出力するＤＣ−ＤＣコンバータと、このＤＣ−ＤＣコンバータの出力端子に接続される負荷が無負荷であることを検出する無負荷検出回路とを備え、
前記ＤＣ−ＤＣコンバータは、入力整流平滑回路から出力される直流電圧を断続するスイッチング素子と、パルスを一定周期毎に出力してスイッチング素子を一定周期でオン・オフさせる制御装置と、前記スイッチング素子による直流電圧の断続によって所定の直流電圧に変換して出力する出力回路とを有するＬＥＤ点灯装置であって、
前記無負荷検出回路が無負荷を検出しているとき前記制御装置を間欠動作させることを特徴とする。
【発明の効果】
【００１０】
この発明によれば、ＬＥＤモジュールを外した際や断線した際には保護動作し、ＬＥＤモジュールを交換した際や接続し直した際などには、ＡＣ電源スイッチを操作しなくてもその接続によってＬＥＤモジュールが点灯する。
【図面の簡単な説明】
【００１１】
【図１】ＬＥＤ点灯装置の構成を示したブロック図である。
【図２】図１に示すＬＥＤ点灯装置の構成を示した回路図である。
【図３】ＬＥＤ点灯装置の主要部の動作を示したタイムチャートである。
【図４】従来のＬＥＤ点灯装置の構成を示した回路図である。
【図５】従来のＬＥＤ点灯装置の主要部の動作を示したタイムチャートである。
【発明を実施するための最良の形態】
【００１２】
以下、この発明に係るＬＥＤ点灯装置の実施の形態である実施例を図面に基づいて説明する。
【実施例】
【００１３】
［第１実施例］
図１に示すＬＥＤ点灯装置１０は、入力フィルタ回路２０と、交流電圧を整流して平滑する入力整流平滑回路３０と、入力整流平滑回路３０から出力される直流電圧を降圧するＤＣ−ＤＣコンバータ回路（ＤＣ−ＤＣコンバータ）４０と、ＬＥＤモジュール６０に流れる電流を一定に制御するための定電流制御回路７０とを備えている。
［入力フィルタ回路］
入力フィルタ回路２０は、電源ループ（商用電源Ｅ−入力整流平滑回路３０−ＤＣ−ＤＣコンバータ回路４０）で発生する減衰振動を防止するとともに外部への雑音を防止するものであり、図２に示すようにコンデンサＣ１とラインフィルタＬ１等とを有している。
［入力整流平滑回路］
入力整流平滑回路３０は、商用電源Ｅの交流電圧を全波整流する４つのダイオード(図示せず)から構成される整流回路３１と、この整流回路３１から出力される整流電圧を平滑するコンデンサＣ１２とを有している。
［ＤＣ−ＤＣコンバータ回路］
ＤＣ−ＤＣコンバータ回路４０は、図２に示すように、入力整流平滑回路３０の出力端子３０ａに接続された一次巻線ＴＬ１と二次巻線ＴＬ２と三次巻線ＴＬ３とを備えたトランスＴと、トランスＴの一次巻線ＴＬ１に直列接続されたスイッチング素子Ｑ２と、このスイッチング素子Ｑ２をオン・オフさせる制御装置である制御装置ＩＣ２と、出力端子４０ａ,４０ｂから直流電圧を出力させる出力整流平滑回路５０と、出力端子４０ａ,４０ｂにＬＥＤモジュール６０が接続されていない場合やＬＥＤモジュール６０が断線した場合である無負荷を検出する無負荷検出回路４１と、ＬＥＤモジュール６０の短絡を検出する短絡検出回路４２と、制御装置ＩＣ２用の電源供給回路４３とを有している。
【００１４】
スイッチング素子Ｑ２は、ドレインがトランスＴの一次巻線ＴＬ１に接続され、ソースが抵抗Ｒ３３を介してアースラインＬＥに接続され、ゲートが抵抗Ｒ２９を介して制御装置ＩＣ２の端子５に接続されている。制御装置ＩＣ２の端子５からパルスが出力されるとスイッチング素子Ｑ２はオンするようになっている。
【００１５】
そして、出力整流平滑回路５０とトランスＴとで出力回路が構成されている。
［無負荷検出回路］
無負荷検出回路４１は、トランスＴの三次巻線ＴＬ３とダイオードＤ６とコンデンサＣ１９と抵抗Ｒ２８とツエナーダイオード（検出器）ＤＺ５とを有している。
【００１６】
ダイオードＤ６のアノードが三次巻線ＴＬ３に接続され、カソードがコンデンサＣ１９を介してアースラインＬＥに接続されるとともに抵抗Ｒ２８を介してツエナーダイオードＤＺ５のカソードに接続されている。ツエナーダイオードＤＺ５のアノードは制御装置ＩＣ２の端子３に接続されている。
［短絡検出回路］
短絡検出回路４２は、スイッチング素子Ｑ２のソースに接続された抵抗Ｒ３３と、この抵抗Ｒ３３に並列接続されたコンデンサＣ１７とを有している。コンデンサＣ１７の一方の端子は制御装置ＩＣ２の端子３に接続され、他方の端子はアースラインＬＥに接続されており、抵抗Ｒ３３に生じる電圧が制御装置ＩＣ２の端子３に入力するようになっている。
［電源供給回路］
電源供給回路４３は、トランジスタＱ５と抵抗Ｒ３４とツエナーダイオードＤＺ３とから構成される電圧ドロッパ回路であり、トランジスタＱ５のベースとコレクタとの間に抵抗Ｒ３４が接続され、トランジスタＱ５のコレクタは無負荷検出回路４１のダイオードＤ６のカソードに接続され、トランジスタＱ５のエミッタは制御装置ＩＣ２の端子６に接続されている。この端子６はコンデンサＣ１８を介してアースラインＬＥに接続されている。
【００１７】
ツエナーダイオードＤＺ３のカソードはトランジスタＱ５のベースに接続され、ツエナーダイオードＤＺ３のアノードはアースラインＬＥに接続されている。
【００１８】
電源供給回路４３は、ツエナーダイオードＤＺ３による一定電圧を制御装置ＩＣ２の端子６に電源電圧として供給するものである。
［制御装置ＩＣ２］
制御装置ＩＣ２の端子２には、フォトカプラＦＴのフォトトランジスタＰＨ１のコレクタが接続され、フォトトランジスタＰＨ１のエミッタはアースラインＬＥに接続されている。また、制御装置ＩＣ２の端子１,２はそれぞれコンデンサＣ１５,Ｃ１６を介してアースラインＬＥに接続され、端子８は抵抗Ｒ２７Ａを介して入力整流平滑回路３０の出力端子３０ａに接続されている。
【００１９】
制御装置ＩＣ２は、端子２から出力される電圧に応じたパルス幅のパルスを例えば１０μｓ程度の周期で端子５から出力してスイッチング素子Ｑ２をオン・オフさせていくものであり、端子２から出力される電圧が大きい場合にはパルス幅を大きくし、その電圧が小さい場合にはパルス幅を小さくする。
【００２０】
また、制御装置ＩＣ２は、端子３の電圧がＶｆ１以上になると端子５から出力されるパルスの出力を停止し、端子３の電圧がＶｆ２（＜Ｖｆ１）以下になると端子５からパルスを出力していくようになっている。
［出力整流平滑回路］
出力整流平滑回路５０は、トランスＴの二次巻線ＴＬ２と、この二次巻線巻線ＴＬ２に発生する交流電圧を整流するダイオードＤ７と、ダイオードＤ７によって整流された整流電圧を平滑して所定の直流電圧にして出力端子４０ａから出力するコンデンサＣ２７とを有している。
［定電流制御回路］
定電流制御回路７０は、オペアンプＩＣ３と、このオペアンプＩＣ３を動作させるための電源供給回路７１などを有している。
【００２１】
電源供給回路７１は、トランジスタＱ６とツエナーダイオードＤＺ４と抵抗Ｒ４４とから構成される電圧ドロッパ回路であり、トランジスタＱ６のベースとコレクタとの間に抵抗Ｒ４４が接続され、トランジスタＱ６のコレクタは出力端子４０ａに接続され、トランジスタＱ６のエミッタはオペアンプＩＣ３の電源端子に接続されている。
【００２２】
オペアンプＩＣ３の反転端子と出力端子との間には抵抗Ｒ３９とコンデンサＣ２６との直列回路が接続され、その反転端子には基準電圧ＶRefが入力されている。
【００２３】
オペアンプＩＣ３の非反転端子には、ＬＥＤモジュール６０に流れる電流を検出する抵抗Ｒ４２に生じる電圧Ｖａが入力するようになっており、この電圧Ｖａと基準電圧ＶRefとの差に応じた電圧がオペアンプＩＣ３の出力端子から出力される。
【００２４】
オペアンプＩＣ３の出力端子には、抵抗Ｒ３８を介してフォトカプラＦＴのフォトダイオードＰＣ１のアノードに接続され、フォトダイオードＰＣ１のカソードは抵抗Ｒ４２を介して出力端子４０ｂに接続されている。そして、オペアンプＩＣ３の出力端子の出力電圧すなわち抵抗Ｒ４２に生じる電圧Ｖａと基準電圧ＶRefとの差に応じた電圧に応じた電流がフォトダイオードＰＣ１に流れてフォトダイオードＰＣが発光する。
【００２５】
この発光により、フォトカプラＦＴのフォトトランジスタＰＨ１にその発光量に応じた電流が流れる。つまり、制御装置ＩＣ２の端子２から出力される電圧がフォトトランジスタＰＨ１のオン・オフによって制御された電圧となり、この電圧に応じたパルス幅のパルスを出力してＬＥＤモジュール６０に流れる電流を一定に制御するものである。
［動  作］
次に、上記のように構成されるＬＥＤ点灯装置１０の動作について説明する。
【００２６】
先ず、ＬＥＤ点灯装置１０の出力端子４０ａ,４０ｂにＬＥＤモジュール６０が接続されている場合について説明する。
【００２７】
図示しないＡＣ電源スイッチを投入すると、入力整流平滑回路３０により交流電圧が整流されるとともに平滑されて直流電圧となって出力され、トランスＴの一次巻線ＴＬ１に印加する。
【００２８】
一方、制御装置ＩＣ２は、端子５から所定のパルス幅のパルスを約１０μｓの周期で出力してスイッチング素子Ｑ２を１０μｓの周期でオン・オフさせていく。
【００２９】
このオン・オフにより、トランスＴの一次巻線ＴＬ１に印加する直流電圧は断続されて一次巻線ＴＬ１に断続電流が流れる。
【００３０】
この断続電流によりトランスＴの二次巻線ＴＬ２に交流電圧が誘起される。この二次巻線ＴＬ２の交流電圧は、出力整流平滑回路５０により半波整流されて平滑され、直流電圧（出力電圧）となって出力端子４０ａ,４０ｂに接続されているＬＥＤモジュール６０に印加し、ＬＥＤモジュール６０の各発光ダイオードＬＥＤに電流が流れて各発光ダイオードＬＥＤが点灯する。
【００３１】
そして、定電流制御回路７０の抵抗Ｒ４２がＬＥＤモジュール６０に流れる電流を検出し、この抵抗Ｒ４２が検出した電流に応じた電圧ＶａがオペアンプＩＣ３の非反転端子に入力し、オペアンプＩＣ３の出力端子から電圧Ｖａと基準電圧ＶRefとの差に応じた電圧Ｖｂが出力され、この電圧Ｖｂに応じた電流がフォトカプラＦＴのフォトダイオードＰＣ１に流れてフォトダイオードＰＣ１が発光する。フォトダイオードＰＣが発光した光は、フォトカプラＦＴのフォトトランジスタＰＨ１が受光し、その受光量に応じた電流が制御装置ＩＣ２の端子２から出力されてフォトトランジスタＰＨ１に流れる。
【００３２】
制御装置ＩＣ２は、端子２から出力される電圧に応じたパルス幅のパルスを１０μｓの周期で端子５から出力していく。
【００３３】
ＬＥＤモジュール６０に流れる電流が所定値より小さい場合、すなわち各発光ダイオードＬＥＤの点灯が暗い場合、抵抗Ｒ４２に生じる電圧が小さくなり、オペアンプＩＣ３の出力端子から出力される電圧Ｖｂが小さくなる。このため、フォトダイオードＰＣ１の発光量が少なくなり、結果的に制御装置ＩＣ２の端子２から出力される電圧が大きくなる。
【００３４】
制御装置ＩＣ２は、端子２から出力される電圧が大きくなると端子５から出力されるパルス幅を大きくして、出力整流平滑回路５０から出力される直流電流を大きくし、ＬＥＤモジュール６０に流れる電流を所定値にする。
【００３５】
逆に、ＬＥＤモジュール６０に流れる電流が所定値より大きくなった場合、上記とは逆に、抵抗Ｒ４２に生じる電圧が大きくなり、オペアンプＩＣ３の出力端子から出力される電圧Ｖｂが大きくなる。このため、フォトダイオードＰＣ１の発光量が大きくなり、結果的に制御装置ＩＣ２の端子２から出力される電圧が小さくなる。
【００３６】
制御装置ＩＣ２は、端子２から出力される電圧が小さくなると端子５から出力されるパルス幅を小さくして、出力整流平滑回路５０から出力される直流電流を小さくし、ＬＥＤモジュール６０に流れる電流を所定値にする。
【００３７】
すなわち、図３に示すように、ＬＥＤモジュール６０がＬＥＤ点灯装置１０の出力端子４０ａ,４０ｂに接続されてＬＥＤモジュール６０が正常な場合には（期間ｔ１〜ｔ２）、定電流制御が行われ、出力端子４０ａから所定値の電流が出力され、出力端子４０ａ,４０ｂ間には所定の出力電圧が出力されることになる。
［ＬＥＤモジュール６０が断線あるいは取り外した場合］
ＬＥＤモジュール６０が断線した場合あるいは出力端子４０ａ,４０ｂからＬＥＤモジュール６０が取り外されると、出力端子４０ａから電流が流れなくなり、図３に示すように、出力端子４０ａ,４０ｂ間の出力電圧が上昇していく（時点ｔ２）。
【００３８】
この出力電圧の上昇により、二次巻線ＴＬ２と三次巻線ＴＬ３とは巻数比の比例関係にあることにより、三次巻線ＴＬ３の電圧が上昇していく。この三次巻線ＴＬ３の電圧はダイオードＤ６および抵抗Ｒ２８を介してツエナーダイオードＤＺ５に印加する。
【００３９】
三次巻線ＴＬ３の電圧がツエナーダイオードＤＺ５のツエナー電圧以上になると、ツエナーダイオードＤＺ５がオンしてコンデンサＣ１７が充電されていき、この充電とともに制御装置ＩＣ２の端子３の電圧が上昇していく。この端子３の電圧が設定電圧Ｖｆ１以上になると、制御装置ＩＣ２は端子５からのパルスの出力を停止する。
【００４０】
このパルスの出力の停止により、スイッチング素子Ｑ２はオフしたままとなり、トランスＴの一次巻線ＴＬ１には電流が流れず、このため出力端子４０ａ,４０ｂ間の出力電圧が図３に示すように減少していく。
【００４１】
一方、トランスＴの一次巻線ＴＬ１に電流が流れないことにより、三次巻線ＴＬ３に電圧が発生せず、ツエナーダイオードＤＺ５がオフし、コンデンサＣ１７は放電を開始していく。この放電により制御装置ＩＣ２の端子３の電圧が低下していく。この端子３の電圧が所定電圧Ｖｆ２（＜Ｖｆ１）以下になると、制御装置ＩＣ２は端子５からパルスを約１０μｓの周期で出力していく（時点ｔ３）。
【００４２】
制御装置ＩＣ２の端子５からのパルスの出力により、スイッチング素子Ｑ２はオン・オフしていき、上記と同様にして出力整流平滑回路５０から直流電圧（出力電圧）が出力されて出力端子４０ａ,４０ｂに出力電圧が印加されることになる。
【００４３】
出力端子４０ａ,４０ｂにＬＥＤモジュール６０が接続されていないかあるいは断線しているため、出力端子４０ａから電流が流れず、このため図３に示すように、出力端子４０ａ,４０ｂ間の出力電圧が上昇していく（時点ｔ３）。この上昇により、三次巻線ＴＬ３の電圧が上昇していき、上記と同様にして端子３の電圧が上昇してパルスの出力が停止される。
【００４４】
出力端子４０ａ,４０ｂに正常なＬＥＤモジュール６０が接続されるまで、これら動作が繰り返し行われていく。
【００４５】
すなわち、制御装置ＩＣ２は、出力端子４０ａ,４０ｂに正常なＬＥＤモジュール６０が接続されるまで、端子５からパルスを出力したり、そのパルスの出力を休止したりするもので、この動作が繰り返し行われることになる。つまり、制御装置ＩＣ２は間欠動作（保護動作）することになる。
【００４６】
そして、出力端子４０ａ,４０ｂに正常なＬＥＤモジュール６０が接続された場合（時点ｔ４）、制御装置ＩＣ２の端子５からパルスが出力されると、上記と同様にして出力整流平滑回路５０から直流電圧（出力電圧）が出力されて、ＬＥＤモジュール６０に出力電圧が印加され、ＬＥＤモジュール６０に電流が流れ、ＬＥＤモジュール６０の各発光ダイオードＬＥＤは点灯する。このため、従来のようにＡＣ電源スイッチを操作する必要がない。
【００４７】
各発光ダイオードＬＥＤの点灯により、出力端子４０ａ,４０ｂ間の電圧は上昇していかず、時点ｔ４以後は時点ｔ１〜ｔ２間のときと同様にして定電流制御が行われることになる。
［ＬＥＤモジュール６０が短絡した場合］
ＬＥＤモジュール６０が短絡すると（時点ｔ５）、出力端子４０ａ,４０ｂ間の電圧が急激に低下していくので、オペアンプＩＣ３は動作しなくなり、制御装置ＩＣ２の端子２から出力される電圧が急激に上昇していく。このため、制御装置ＩＣ２は、パルス幅の大きな（デューティ比の大きな）パルスを端子５から出力していく。
【００４８】
このパルス幅の大きなパルスにより、短絡検出回路４２の抵抗Ｒ３３には通常より大きな過大電流が流れるとともにコンデンサＣ１７を充電していく。過大電流により、制御装置ＩＣ２の端子３の電圧が上昇し、その端子３の電圧がＶｆ１以上になると制御装置ＩＣ２は端子５からのパルスの出力を停止する（時点ｔ５）。
【００４９】
このパルスの出力が停止されると、スイッチング素子Ｑ２はオフとなるので、短絡検出回路４２の抵抗Ｒ３３に電流が流れなくなり、コンデンサＣ１７が放電を開始していく。この放電により制御装置ＩＣ２の端子３の電圧が低下していき、端子３の電圧が所定電圧Ｖｆ２以下になると（時点ｔ６）、制御装置ＩＣ２は端子５からパルスを出力していく。
【００５０】
このパルスの出力により、スイッチング素子Ｑ２がオン・オフしていき、ＬＥＤモジュール６０が短絡していることにより、上記と同様に短絡検出回路４２の抵抗Ｒ３３に過大電流が流れ、この結果、制御装置ＩＣ２は端子５からのパルスの出力が停止され（時点ｔ７）、これら動作が繰り返し行われる。
【００５１】
すなわち、制御装置ＩＣ２はＬＥＤモジュール６０の断線などと同様に間欠動作（保護動作）することになる。
【００５２】
そして、正常なＬＥＤモジュール６０と交換されて出力端子４０ａ,４０ｂに接続されると（時点ｔ８）、上記と同様にして制御装置ＩＣ２の端子５からパルスが出力されていき、ＬＥＤモジュール６０の各発光ダイオードＬＥＤは点灯し、定電流制御が行われることになる。
【００５３】
このように、ＬＥＤモジュール６０が断線や取り外された際には、制御装置ＩＣ２は間欠動作し、正常なＬＥＤモジュール６０を出力端子４０ａ,４０ｂに接続すれば、この正常なＬＥＤモジュール６０は点灯され、ユーザに違和感や不安を与えてしまうことがない。また、正常なＬＥＤモジュール６０に交換した際などに、従来のように、ＡＣ電源スイッチを操作する必要がなく、非常に使用勝手のよいものとなる。
【００５４】
また、ＬＥＤモジュール６０が短絡した場合も、制御装置ＩＣ２は間欠動作し、正常なＬＥＤモジュール６０を出力端子４０ａ,４０ｂに接続すれば、正常なＬＥＤモジュール６０は点灯されるので、ユーザに違和感や不安を与えてしまうことがなく、従来のように、ＡＣ電源スイッチを操作する必要がない。
【００５５】
この発明は、上記実施例に限られるものではなく、特許請求の範囲の発明の要旨を逸脱しない限り、設計の変更や追加等は許容される。
【符号の説明】
【００５６】
１０          ＬＥＤ点灯装置
３０          入力整流平滑回路
４０          ＤＣ−ＤＣコンバータ回路（ＤＣ−ＤＣコンバータ）
４１          無負荷検出回路
４２          短絡検出回路
５０          出力整流平滑回路
６０          ＬＥＤモジュール
７０          定電流制御回路
Ｑ２          スイッチング素子
ＩＣ２        制御装置
Ｔ            トランス
ＴＬ１        一次巻線
ＴＬ２        二次巻線
ＴＬ３        三次巻線
【図１】
2014087119.tif 000003
【図２】
2014087119.tif 000004
【図３】
2014087119.tif 000005
【図４】
2014087119.tif 000006
【図５】
2014087119.tif 000007